(57)【要約】【課題】再起動による圧縮機の破損を防ぐことができる洗濯乾燥機を提供することにある。【解決手段】制御部(１５)は、電源がオンされた後の運転モードが、ヒートポンプユニット(１３)を用いた乾燥運転であるか否かを判定する電源オン後運転モード判定手段と、電源オン後運転モード判定手段によって、電源がオンされた後の運転モードが乾燥運転であると判定されたとき、不揮発性記憶部(１７)に記憶された運転モードが乾燥運転であるか否かを判定する電源オフ時運転モード判定手段と、電源オフ時運転モード判定手段によって、不揮発性記憶部(１７)に記憶された運転モードが乾燥運転であると判定されたとき、特定の時刻から経過した時間に基づいて、圧縮機を起動させるべきか否かを判定する圧縮機起動判定手段とを有する。【選択図】図２
2014226303.tif 000002
【特許請求の範囲】
【請求項１】
外箱と、
上記外箱内に配置された水槽と、
上記水槽内に回転自在に配置され、洗濯物を収容する回転槽と、
上記回転槽を回転駆動する回転駆動部と、
上記外箱内に配置され、圧縮機を有するヒートポンプユニットと、
上記ヒートポンプユニットを制御する制御部と、
電源がオフされた時の運転モードを記憶する不揮発性運転モード記憶部と
を備え、
上記制御部は、
上記電源がオンされた後の運転モードが、上記ヒートポンプユニットを用いた乾燥運転であるか否かを判定する電源オン後運転モード判定手段と、
上記電源オン後運転モード判定手段によって、上記電源がオンされた後の運転モードが上記乾燥運転であると判定されたとき、上記不揮発性記憶部に記憶された運転モードが上記乾燥運転であるか否かを判定する電源オフ時運転モード判定手段と、
上記電源オフ時運転モード判定手段によって、上記不揮発性記憶部に記憶された運転モードが上記乾燥運転であると判定されたとき、特定の時刻から経過した時間に基づいて、上記圧縮機を起動させるべきか否かを判定する圧縮機起動判定手段と
を有することを特徴とする洗濯乾燥機。
【請求項２】
外箱と、
上記外箱内に配置された水槽と、
上記水槽内に回転自在に配置され、洗濯物を収容する回転槽と、
上記回転槽を回転駆動する回転駆動部と、
上記外箱内に配置され、圧縮機を有するヒートポンプユニットと、
上記ヒートポンプユニットを制御する制御部と
を備え、
上記制御部は、
電源がオンされた後の運転モードが、上記ヒートポンプユニットを用いた乾燥運転であるか否かを判定する電源オン後運転モード判定手段と、
上記電源オン後運転モード判定手段によって、上記電源がオンされた後の運転モードが上記乾燥運転であると判定されたとき、特定の時刻から経過した時間に基づいて、上記圧縮機を起動させるべきか否かを判定する圧縮機起動判定手段と
を有することを特徴とする洗濯乾燥機。
【請求項３】
請求項１または２に記載の洗濯乾燥機において、
上記電源がオフされた時刻を記憶する不揮発性電源オフ時刻記憶部を備え、
上記特定の時刻は、上記電源がオフされた時刻であることを特徴とする洗濯乾燥機。
【請求項４】
請求項１または２に記載の洗濯乾燥機において、
上記特定の時刻は、上記電源がオンされた時刻であることを特徴とする洗濯乾燥機。
【発明の詳細な説明】
【技術分野】
【０００１】
本発明は洗濯乾燥機に関する。
【背景技術】
【０００２】
従来、洗濯乾燥機としては、特開２０１２−２０５６２７号公報(特許文献１)に開示されているように、圧縮機を有するヒートポンプユニットを備えたものがある。
【先行技術文献】
【特許文献】
【０００３】
【特許文献１】特開２０１２−２０５６２７号公報
【発明の概要】
【発明が解決しようとする課題】
【０００４】
上記洗濯乾燥機は、乾燥運転を行うとき、ヒートポンプの圧縮機を駆動させる。この乾燥運転中にユーザが電源をオフした後、再び電源をオンにして、乾燥運転を再開した場合、電源がオフされてから圧縮機が起動するまでの時間が短いと、圧縮機に過電流が流れて、圧縮機が壊れてしまうことがある。
【０００５】
したがって、上記洗濯乾燥機には、電源のオフから短時間しか経過してない状態で、乾燥機が再起動したとき、圧縮機が壊れる恐れがあるという問題がある。
【０００６】
そこで、本発明の課題は、再起動による圧縮機の破損を防ぐことができる洗濯乾燥機を提供することにある。
【課題を解決するための手段】
【０００７】
上記課題を解決するため、本発明の洗濯乾燥機は、
外箱と、
上記外箱内に配置された水槽と、
上記水槽内に回転自在に配置され、洗濯物を収容する回転槽と、
上記回転槽を回転駆動する回転駆動部と、
上記外箱内に配置され、圧縮機を有するヒートポンプユニットと、
上記ヒートポンプユニットを制御する制御部と、
電源がオフされた時の運転モードを記憶する不揮発性運転モード記憶部と
を備え、
上記制御部は、
上記電源がオンされた後の運転モードが、上記ヒートポンプユニットを用いた乾燥運転であるか否かを判定する電源オン後運転モード判定手段と、
上記電源オン後運転モード判定手段によって、上記電源がオンされた後の運転モードが上記乾燥運転であると判定されたとき、上記不揮発性記憶部に記憶された運転モードが上記乾燥運転であるか否かを判定する電源オフ時運転モード判定手段と、
上記電源オフ時運転モード判定手段によって、上記不揮発性記憶部に記憶された運転モードが上記乾燥運転であると判定されたとき、特定の時刻から経過した時間に基づいて、上記圧縮機を起動させるべきか否かを判定する圧縮機起動判定手段と
を有することを特徴としている。
【０００８】
本発明の洗濯乾燥機は、
外箱と、
上記外箱内に配置された水槽と、
上記水槽内に回転自在に配置され、洗濯物を収容する回転槽と、
上記回転槽を回転駆動する回転駆動部と、
上記外箱内に配置され、圧縮機を有するヒートポンプユニットと、
上記ヒートポンプユニットを制御する制御部と
を備え、
上記制御部は、
電源がオンされた後の運転モードが、上記ヒートポンプユニットを用いた乾燥運転であるか否かを判定する電源オン後運転モード判定手段と、
上記電源オン後運転モード判定手段によって、上記電源がオンされた後の運転モードが上記乾燥運転であると判定されたとき、特定の時刻から経過した時間に基づいて、上記圧縮機を起動させるべきか否かを判定する圧縮機起動判定手段と
を有することを特徴としている。
【０００９】
一実施形態の洗濯乾燥機では、
上記電源がオフされた時刻を記憶する不揮発性電源オフ時刻記憶部を備え、
上記特定の時刻は、上記電源がオフされた時刻である。
【００１０】
一実施形態の洗濯乾燥機では、
上記特定の時刻は、上記電源がオンされた時刻である。
【発明の効果】
【００１１】
本発明の洗濯乾燥機によれば、制御部は、電源がオンされた後の運転モードが、ヒートポンプユニットを用いた乾燥運転であるか否かを判定する電源オン後運転モード判定手段と、この電源オン後運転モード判定手段によって、電源がオンされた後の運転モードが乾燥運転であると判定されたとき、不揮発性記憶部に記憶された運転モードが乾燥運転であるか否かを判定する電源オフ時運転モード判定手段と、この電源オフ時運転モード判定手段によって、不揮発性記憶部に記憶された運転モードが乾燥運転であると判定されたとき、特定の時刻から経過した時間に基づいて、圧縮機を起動させるべきか否かを判定する圧縮機起動判定手段とを有するので、圧縮機を保護するための時間が経過してから、圧縮機を再起動させることができる。すなわち、圧縮機を保護するための時間が経過していない状態で、圧縮機が再起動しないようにすることができる。したがって、再起動による圧縮機の破損を防ぐことができる。
【００１２】
本発明の洗濯乾燥機は、制御部は、電源がオンされた後の運転モードが、ヒートポンプユニットを用いた乾燥運転であるか否かを判定する電源オン後運転モード判定手段と、電源オン後運転モード判定手段によって、電源がオンされた後の運転モードが乾燥運転であると判定されたとき、特定の時刻から経過した時間に基づいて、圧縮機を起動させるべきか否かを判定する圧縮機起動判定手段とを有するので、圧縮機を保護するための時間が経過してから、圧縮機を再起動させることができる。すなわち、圧縮機を保護するための時間が経過していない状態で、圧縮機が再起動しないようにすることができる。したがって、再起動による圧縮機の破損を防ぐことができる。
【図面の簡単な説明】
【００１３】
【図１】図１は本発明の第１の実施形態のドラム式洗濯乾燥機の模式図である。
【図２】図２は上記第１の実施形態のドラム式洗濯乾燥機の制御ブロック図である。
【図３】図３は上記第１の実施形態の制御部の圧縮機保護制御のフローチャートである。
【図４】図４は第２の実施形態の制御部の圧縮機保護制御のフローチャートである。
【図５】図５は本発明の第３の実施形態の制御部の圧縮機保護制御のフローチャートである。
【図６】図６は第４の実施形態の制御部の圧縮機保護制御のフローチャートである。
【発明を実施するための形態】
【００１４】
以下、本発明の洗濯乾燥機を図示の実施形態により詳細に説明する。
【００１５】
〔第１の実施形態〕
図１は、本発明の第１実施形態のドラム式洗濯乾燥機の乾燥機能に関する概略構成を模式的に示す図である。
【００１６】
上記ドラム式洗濯乾燥機は、外箱１と、この外箱１内に配置された水槽２と、水槽２内に回転自在に配置され、洗濯物５を収容するドラム３と、ドラム３を回転駆動するモータ４と、外箱１内に配置されたヒートポンプユニット１３とを備える。なお、ドラム３は回転槽の一例であり、モータ４は回転駆動部の一例である。
【００１７】
上記外箱１の前面には、開閉可能な扉２１が設けられている。この扉２１を開くことにより、ユーザがドラム３内に洗濯物５を出し入れできるようになっている。一方、扉２１を閉じることにより、水槽２の水密かつ気密が保たれるようになる。また、外箱１の前面には、扉２１よりも上側に位置するように、操作表示部６０が設けられている。ユーザは、操作表示部６０を操作して、ドラム式洗濯乾燥機の電源をオンまたはオフしたり、洗い運転、すすぎ運転、脱水運転および乾燥運転などの運転モードを設定したりする。この操作表示部６０は運転状態などを表示する。
【００１８】
上記ドラム３は、前側が後側よりも上になるように水平方向に対して傾斜する中心軸Ｊを有している。また、ドラム３の周面３ａおよび底面３ｂには、それぞれ、水槽２とドラム３の間の空間と、水槽２内の空間とを連通させる複数の貫通孔(図示せず)が形成されている。これにより、吸気口２５から吹き出る高温低湿の空気は、矢印Ｙで示すように、ドラム３の底面３ｂの貫通孔を通ってドラム３内に流入できるようになっている。また、上記高温低湿の空気はドラム３内の洗濯物５に当たって低温高湿の空気になった後、矢印Ｚで示すように、ドラム３の周面３ａの貫通孔から、水槽２とドラム３の間の空間へ抜け、水槽２の排気口２２から空気循環ダクト２３内に流入し、ヒートポンプユニット１３へ向かって流れる。また、上記低温高湿の空気はヒートポンプユニット１３で高温低湿に変えられた後、送風ダクト２６内を吸気口２５に向かって流れる。
【００１９】
上記ヒートポンプユニット１３は、冷媒を圧縮して冷媒の温度を上昇させる圧縮機７と、この圧縮機７によって圧縮された冷媒と空気とを熱交換させることによって空気を加熱する凝縮器８と、その空気と熱交換した冷媒の圧力を減圧する膨張弁９と、この減圧された冷媒と空気とを熱交換させることによって空気を冷却する蒸発器１０とを有している。この圧縮機７、凝縮器８、膨張弁９および蒸発器１０の順に冷媒を循環させるため、圧縮機７、凝縮器８、膨張弁９および蒸発器１０に冷媒配管１４が接続されている。また、冷媒配管１４には、圧縮機７から凝縮器８へ向かう冷媒の温度を検出するための温度センサ１６が取り付けられている。
【００２０】
また、上記ヒートポンプユニット１３は、外箱１内の後側かつ下側に配置されている。このヒートポンプユニット１３の上流側は、空気循環ダクト２３を介して水槽２の排気口２２に接続されている。また、ヒートポンプユニット１３の下流側は、送風機１１および送風ダクト２６を介して水槽２の吸気口２５に接続されている。
【００２１】
なお、図１の５０は、圧縮機７、凝縮器８、膨張弁９および蒸発器１０、冷媒配管１４および温度センサ１６を収容するケーシングである。
【００２２】
図２は上記ドラム式洗濯乾燥機の制御ブロック図である。
【００２３】
上記ドラム式洗濯乾燥機は、ヒートポンプユニット１３を制御する制御部１５と、電源がオフされた時の運転モードを記憶すると共に、電源がオフされた時刻を記憶するフラッシュメモリ１７とを備えている。なお、フラッシュメモリ１７は、不揮発性運転モード記憶部の一例であると共に、不揮発性電源オフ時刻記憶部の一例でもある。
【００２４】
上記制御部１５は、ＣＰＵ(中央処理装置)、ＲＡＭ(ランダム アクセス メモリ)、ＲＯＭ(リード オンリー メモリ)およびタイマなどを有するマイクロコンピュータや、入出力回路などで構成されて、特定の時間から経過した時間を計測できる機能を有している。
【００２５】
上記制御部１５には、操作表示部６０、温度センサ１６、ヒートポンプユニット１３、モータ４、送風機１１、フラッシュメモリ１７などが接続されている。
【００２６】
上記フラッシュメモリ１７には、ユーザが運転モードを設定するたびに、その運転モードが書き込まれる。また、洗濯、乾燥運転を実行しているときにも、その時の状況、例えば、脱水中、乾燥運転中といった状況が、その都度、フラッシュメモリ１７に記憶される。これにより、制御部１５が、電源オフで中断された運転モードを把握できるようになっている。すなわち、フラッシュメモリ１７に書き込まれた情報を参照すれば、電源がオフされた時の運転モードが分かるようになっている。また、フラッシュメモリ１７には、ユーザによって電源がオフされた時刻や、停電などで電源がオフされた時刻が書き込まれる。これらの時刻をフラッシュメモリ１７に書き込む方法としては、例えば、バッテリなどの予備電源をドラム式洗濯乾燥機に搭載しておき、電源がオフされた後、その予備電源の電気を使って、上記時刻をフラッシュメモリ１７に書き込む方法がある。この場合、時計も同一予備電源で動作させることができ、継続して時刻を計時できる。なお、時刻のみを記憶させる場合には、予備電源等を必要とせず、瞬時にその時点の時刻をフラッシュメモリ１７に記憶できる。
【００２７】
以下、本発明の第1の実施形態として図３を参照して、圧縮機７を保護するための制御を説明する。この図３は、上記制御部１５が行う圧縮機保護制御を説明するためのフローチャートである。この圧縮機保護制御は、ドラム式洗濯乾燥機の電源がオンされて、ユーザが運転モードを設定した後、制御部１５が上記運転モードの実行指令を受けると、開始される。
【００２８】
上記圧縮機保護制御では、まず、ステップＳ１で、電源がオンされた後の運転モードが、ヒートポンプユニット１３を用いた乾燥運転であるか否かを判定する。すなわち、ステップＳ１で、乾燥運転が開始されるのか否かを判定する。このステップＳ１で、乾燥運転が開始されないと判定すると、圧縮機保護制御が終了する。一方、ステップＳ１で、乾燥運転が開始されると判定すると、ステップＳ２に進む。
【００２９】
上記ステップＳ２では、フラッシュメモリ１７内の情報に基づいて、電源がオフされた時は乾燥運転中であったか否かを判定する。このステップＳ２で、電源がオフされた時は乾燥運転中でないと判定すると、ステップＳ３に進んで、圧縮機７を起動させて、圧縮機保護制御が終了する。一方、ステップＳ２で、電源がオフされた時は乾燥運転中であると判定すると、ステップＳ４に進む。
【００３０】
上記ステップＳ４では、フラッシュメモリ１７内の情報に基づいて、電源がオフされた時刻から経過した時間Ｔ１が、圧縮機７を保護するために予め設定された再起動禁止時間Ｔ０(例えば３分)を超えているか否かを判定する。このステップＳ４で、電源がオフされた時刻から経過した時間Ｔ１が、圧縮機７を保護するために予め設定された再起動禁止時間Ｔ０を超えていないと判定されると、再び、ステップＳ４を行う。一方、ステップＳ４で、電源がオフされた時刻から経過した時間Ｔ１が、圧縮機７を保護するために予め設定された再起動禁止時間Ｔ０を超えていると判定すると、ステップＳ３に進んで、圧縮機７を起動させて、圧縮機保護制御が終了する。
【００３１】
本第１実施形態では、ステップＳ１は電源オン後運転モード判定手段の一例で、ステップＳ２は電源オフ時運転モード判定手段の一例で、ステップＳ４は圧縮機起動判定手段の一例である。
【００３２】
このように、上記圧縮機保護制御が行われるので、例えば、ユーザが、乾燥運転中に電源をオフにした後、電源をオンして、乾燥運転を開始させた場合、圧縮機７の停止から再起動するまでの時間が、再起動禁止時間Ｔ０以下になるのを阻止できる。したがって、再起動による圧縮機７の破損を防ぐことができる。
【００３３】
また、例えば、乾燥運転中に停電があって電源がオフされた後、ユーザが電源をオンして、乾燥運転を開始させた場合も、再起動による圧縮機７の破損を防ぐことができる。この停電は、乾燥洗濯機と他の電気機器と併用することでブレーカが落ちた場合もある。この場合、併用していた他の電気機器を停止（電源オフ）し、ブレーカを入れなおすことで、電源がオンされる。また、ユーザが故意ではないが、乾燥洗濯機の運転中に間違って電源オフの操作を行った場合もある。
【００３４】
また、上記電源がオフされた時刻から経過した時間Ｔ１を基準として用いているので、電源がオンされてから圧縮機が再起動するまでの時間を短くすることできる。すなわち、上記圧縮機を安全かつ迅速に再起動できるようになる。
【００３５】
上記第１の実施形態では、ドラム３は、前側が後側よりも上になるように、水平方向に対して傾斜する中心軸Ｊを有していたが、水平方向に対して略平行な中心軸を有するようにしてもよい。
【００３６】
上記第１の実施形態では、不揮発性運転モード記憶部の一例として、フラッシュメモリ１７を用いていたが、不揮発性電源オフ時刻記憶部の一例として、ハードディスクドライブ、光ディスクなどを用いてもよい。
【００３７】
上記第１の実施形態では、ドラム式洗濯乾燥機において、上述の圧縮機保護制御が行われていたが、他の洗濯乾燥機(例えば縦型乾燥洗濯機)において、上述の圧縮機保護制御が行われるようにしてもよい。
【００３８】
上記第１の実施形態によれば、ステップＳ２で、電源がオフされた時に乾燥運転中であると判定したとき、ステップＳ４に進んでいた。これに対し、本発明の第２の実施形態として、図４に示すように、ステップＳ１４に進むようにしてもよい。図４において、図３と同一ステップ番号は、同一処理につき説明は省略する。なお、ステップＳ１４は圧縮機起動判定手段の一例である。
【００３９】
上記ステップＳ１４では、電源がオンされた時刻から経過した時間Ｔ２が、圧縮機７を保護するために予め設定された再起動禁止時間Ｔ０(例えば３分)を超えているか否かを判定する。このステップＳ１４で、電源がオンされた時刻から経過した時間Ｔ２が、圧縮機７を保護するために予め設定された再起動禁止時間Ｔ０を超えていないと判定されると、再び、ステップＳ１４を行う。一方、ステップＳ１４で、電源がオンされた時刻から経過した時間Ｔ２が、圧縮機７を保護するために予め設定された再起動禁止時間Ｔ０を超えていると判定すると、ステップＳ３に進んで、圧縮機７を起動させて、圧縮機保護制御が終了する。
【００４０】
また、上記制御部１５が、図４に示すような圧縮機保護制御を行うことによって、乾燥運転の実行指令を受けた時から再起動禁止時間Ｔ０が経過するまで待つよりも、圧縮機を安全かつ迅速に再起動できるようになる。
【００４１】
また、上記制御部１５が、図４に示すような圧縮機保護制御を行う場合、ユーザが電源をオフにした時刻や、停電などで電源がオフになった時刻を、フラッシュメモリ１７に書き込まなくてよくなるので、圧縮機保護制御を簡素化できると共に、フラッシュメモリ１７の使用量を低減できる。
【００４２】
また、上記制御部１５が、図４に示すような圧縮機保護制御を行う場合、電源がオンされた時刻が、フラッシュメモリ１７に書き込まれるようにしてもよいし、制御部１５内のＲＡＭに書き込まれるようにしてもよい。
【００４３】
〔第３の実施形態〕
本発明の第３の実施形態のドラム式洗濯乾燥機は、上記第１実施形態のドラム式洗濯乾燥機の構成部と同様の構成部を備え、上記第１および第２の実施形態のドラム式洗濯乾燥機とは異なる圧縮機保護制御を行うものである。以下では、上記第１実施形態のドラム式洗濯乾燥機の構成部と同様の構成部には、第１実施形態のドラム式洗濯乾燥機の構成部の参照番号と同一の参照番号を付して説明する。
【００４４】
図５は、本発明の第３の実施形態のドラム式洗濯乾燥機の制御部１５が行う圧縮機保護制御を説明するためのフローチャートである。この圧縮機保護制御は、ドラム式洗濯乾燥機の電源がオンされて、ユーザが運転モードを設定した後、制御部１５が上記運転モードの実行指令を受けると、開始される。
【００４５】
上記圧縮機保護制御では、まず、ステップＳ２１で、電源がオンされた後の運転モードが、ヒートポンプユニット１３を用いた乾燥運転であるか否かを判定する。すなわち、ステップＳ２１で、乾燥運転が開始されるのか否かを判定する。このステップＳ２１で、乾燥運転が開始されないと判定すると、圧縮機保護制御が終了する。一方、ステップＳ２１で、乾燥運転が開始されると判定すると、ステップＳ２２に進む。
【００４６】
上記ステップＳ２２では、フラッシュメモリ１７内の情報に基づいて、電源がオフされた時刻から経過した時間Ｔ１が、圧縮機７を保護するために予め設定された再起動禁止時間Ｔ０を超えているか否かを判定する。このステップＳ２２で、電源がオフされた時刻から経過した時間Ｔ１が、圧縮機７を保護するために予め設定された再起動禁止時間Ｔ０(例えば３分)を超えていないと判定されると、再び、ステップＳ２２を行う。一方、ステップＳ２２で、電源がオフされた時刻から経過した時間Ｔ１が、圧縮機７を保護するために予め設定された再起動禁止時間Ｔ０を超えていると判定すると、ステップＳ２３に進んで、圧縮機７を起動させて、圧縮機保護制御が終了する。
【００４７】
本第３の実施形態では、ステップＳ２１は電源オン後運転モード判定手段の一例であり、ステップＳ２２は圧縮機起動判定手段の一例である。
【００４８】
このように、上記圧縮機保護制御が行われるので、例えば、ユーザが、乾燥運転中に電源をオフにした後、電源をオンして、乾燥運転を開始させた場合、圧縮機７の停止から再起動するまでの時間が、再起動禁止時間Ｔ０以下になるのを阻止できる。したがって、再起動による圧縮機７の破損を防ぐことができる。
【００４９】
また、例えば、乾燥運転中に停電があって電源がオフされた後、ユーザが電源をオンして、乾燥運転を開始させた場合も、再起動による圧縮機７の破損を防ぐことができる。
【００５０】
また、上記電源がオフされた時刻から経過した時間Ｔ１を基準として用いているので、電源がオンされてから圧縮機が再起動するまでの時間を短くすることできる。すなわち、上記圧縮機を安全かつ迅速に再起動できるようになる。
【００５１】
また、上記制御部１５が、図５に示すような圧縮機保護制御を行う場合、ユーザが運転モードを設定するたびに、その運転モードを、フラッシュメモリ１７に書き込まなくて済む。したがって、上記圧縮機保護制御を簡素化できると共に、フラッシュメモリ１７の使用量を低減できる。
【００５２】
上記第３の実施形態では、ステップＳ２１で、乾燥運転が開始されると判定したとき、ステップＳ２２に進んでいた。これに対し、第４の実施形態として、図６に示すように、ステップＳ３２に進むようにしてもよい。図６において、図５と同一番号のステップにおいては、同一処理につき説明は省略する。なお、ステップＳ３２は圧縮機起動判定手段の一例である。
【００５３】
上記ステップＳ３２では、電源がオンされた時刻から経過した時間Ｔ２が、圧縮機７を保護するために予め設定された再起動禁止時間Ｔ０(例えば３分)を超えているか否かを判定する。このステップＳ３２で、電源がオンされた時刻から経過した時間Ｔ２が、圧縮機７を保護するために予め設定された再起動禁止時間Ｔ０を超えていないと判定されると、再び、ステップＳ３２を行う。一方、ステップＳ３２で、電源がオンされた時刻から経過した時間Ｔ２が、圧縮機７を保護するために予め設定された再起動禁止時間Ｔ０を超えていると判定すると、ステップＳ２３に進んで、圧縮機７を起動させて、圧縮機保護制御が終了する。
【００５４】
また、上記制御部１５が、図６に示すような圧縮機保護制御を行うことによって、乾燥運転の実行指令を受けた時から再起動禁止時間Ｔ０が経過するまで待つよりも、圧縮機を安全かつ迅速に再起動できるようになる。
【００５５】
また、上記制御部１５が、図６に示すような圧縮機保護制御を行う場合、ユーザが電源をオフにした時刻や、停電などで電源がオフになった時刻を、フラッシュメモリ１７に書き込まなくて済む。したがって、上記圧縮機保護制御を簡素化できると共に、フラッシュメモリ１７の使用量を低減できる。
【００５６】
また、上記制御部１５が、図６に示すような圧縮機保護制御を行う場合、電源がオンされた時刻が、フラッシュメモリ１７に書き込まれるようにしてもよいし、制御部１５内のＲＡＭに書き込まれるようにしてもよい。ここで、電源がオンされた時刻が、制御部１５内のＲＡＭに書き込まれるようにした場合、ドラム式洗濯乾燥機はフラッシュメモリ１７を搭載しなくても済むので、製造コストを低減できる。
【００５７】
本発明の具体的な実施形態について説明したが、本発明は上記第１から第４の実施形態に限定されるものではなく、本発明の範囲内で種々変更して実施することができる。例えば、上記第１の実施形態に記載したものと、第３の実施形態に記載したものとを適宜組み合わせて、本発明の一実施形態を作成してもよい。
【００５８】
すなわち、本発明および実施形態を纏めると、次のようになる。
【００５９】
本発明の洗濯乾燥機は、
外箱１と、
上記外箱１内に配置された水槽２と、
上記水槽２内に回転自在に配置され、洗濯物を収容する回転槽３と、
上記回転槽３を回転駆動する回転駆動部４と、
上記外箱１内に配置され、圧縮機７を有するヒートポンプユニット１３と、
上記ヒートポンプユニット１３を制御する制御部１５と、
電源がオフされた時の運転モードを記憶する不揮発性運転モード記憶部１７と
を備え、
上記制御部１５は、
上記電源がオンされた後の運転モードが、上記ヒートポンプユニット１３を用いた乾燥運転であるか否かを判定する電源オン後運転モード判定手段Ｓ１と、
上記電源オン後運転モード判定手段Ｓ１によって、上記電源がオンされた後の運転モードが上記乾燥運転であると判定されたとき、上記不揮発性記憶部１７に記憶された運転モードが上記乾燥運転であるか否かを判定する電源オフ時運転モード判定手段Ｓ２と、
上記電源オフ時運転モード判定手段Ｓ２によって、上記不揮発性記憶部１７に記憶された運転モードが上記乾燥運転であると判定されたとき、特定の時刻から経過した時間に基づいて、上記圧縮機７を起動させるべきか否かを判定する圧縮機起動判定手段Ｓ４，Ｓ１４と
を有することを特徴としている。
【００６０】
上記構成によれば、上記圧縮機起動判定手段Ｓ４，Ｓ１４が、電源オフ時運転モード判定手段Ｓ２によって、不揮発性記憶部１７に記憶された運転モードが乾燥運転であると判定されたとき、特定の時刻から経過した時間に基づいて、圧縮機７を起動させるべきか否かを判定するので、電源のオフから短時間しか経過してない状態で、圧縮機７が再起動しないようにできる。すなわち、上記圧縮機７を保護するための時間が経過してから、圧縮機７が再起動するようにできる。したがって、再起動による圧縮機７の破損を防ぐことができる。
【００６１】
本発明の洗濯乾燥機は、
外箱１と、
上記外箱１内に配置された水槽２と、
上記水槽２内に回転自在に配置され、洗濯物を収容する回転槽３と、
上記回転槽３を回転駆動する回転駆動部４と、
上記外箱１内に配置され、圧縮機７を有するヒートポンプユニット１３と、
上記ヒートポンプユニット１３を制御する制御部１５と
を備え、
上記制御部１５は、
電源がオンされた後の運転モードが、上記ヒートポンプユニット１３を用いた乾燥運転であるか否かを判定する電源オン後運転モード判定手段Ｓ２１と、
上記電源オン後運転モード判定手段Ｓ２１によって、上記電源がオンされた後の運転モードが上記乾燥運転であると判定されたとき、特定の時刻から経過した時間に基づいて、上記圧縮機７を起動させるべきか否かを判定する圧縮機起動判定手段Ｓ２２，Ｓ３２と
を有することを特徴としている。
【００６２】
上記構成によれば、上記電源がオンされる前に、圧縮機７が起動していた場合、圧縮機起動判定手段Ｓ２２，Ｓ３２が、電源オン後運転モード判定手段Ｓ２１によって、電源がオンされた後の運転モードが乾燥運転であると判定されたとき、特定の時刻から経過した時間に基づいて、圧縮機７を起動させるべきか否かを判定するので、電源のオフから短時間しか経過してない状態で、圧縮機７が再起動しないようにできる。すなわち、上記圧縮機７を保護するための時間が経過してから、圧縮機７が再起動するようにできる。したがって、再起動による圧縮機７の破損を防ぐことができる。
【００６３】
一実施形態の洗濯乾燥機では、
上記電源がオフされた時刻を記憶する不揮発性電源オフ時刻記憶部１７を備え、
上記特定の時刻は、上記電源がオフされた時刻である。
【００６４】
上記実施形態によれば、上記特定の時刻は、電源がオフされた時刻であるので、電源がオンされてから圧縮機７が再起動するまでの時間を短くすることできる。すなわち、上記圧縮機７を安全かつ迅速に再起動できるようになる。
【００６５】
一実施形態の洗濯乾燥機では、
上記特定の時刻は、上記電源がオンされた時刻である。
【００６６】
上記実施形態によれば、上記特定の時刻は、電源がオンされた時刻であるので、電源がオンされてから圧縮機７が再起動するまでの時間を短くすることできる。すなわち、上記圧縮機７を安全かつ迅速に再起動できるようになる。
【符号の説明】
【００６７】
１  外箱
２  洗濯槽
３  ドラム
４  モータ
７  圧縮機
８  凝縮器
９  膨張弁
１０  蒸発器
１１  送風機
１３  ヒートポンプユニット
１４  冷媒配管
１６  温度センサ
１７  フラッシュメモリ
【図１】
2014226303.tif 000003
【図２】
2014226303.tif 000004
【図３】
2014226303.tif 000005
【図４】
2014226303.tif 000006
【図５】
2014226303.tif 000007
【図６】
2014226303.tif 000008